(57)【要約】      （修正有）【課題】瞬時に紐を結んで固定することができ、簡単に緩むことのない緩み防止手段を有する快速結着具を提供する。【解決手段】結着本体１０と飾り紐２０と縛り紐３０とを有し、その内、該結着本体は両端部に設けられる結合部材と、上部に取り付けられる組立部材と、それぞれＬ字形を呈すると共に、内端が枢設部に枢設され、水平フレームに縛り紐孔を有し、垂直フレームに飾り紐孔を有する結着部材と、それぞれ摺動可能に該付き部材の水平フレームに環着されると共に、該縛り孔を第一通過孔及び第二通過孔に区画される押圧部材とを備える。該飾り紐は、中央部が該組立部材に固定され、両端部がそれぞれ前記結着部材の飾り紐孔を通過するように結着され、該縛り紐は、両端がそれぞれ該結着部材の下方から第一通過孔から押圧部材の上方を通って上方から第二通過孔を通過するように外側へ送り出される。【選択図】図１
0003174077.tif 000002
【実用新案登録請求の範囲】
【請求項１】
両端部にそれぞれ枢設部が設けられる結合部材と、該結合部材の上部に取り付けられる組立部材と、それぞれ、Ｌ字形を呈すると共に、内端が該枢設部に枢設され、結着開口を有する水平フレーム及び該水平フレームの外端に設けられ、飾り紐孔を有する垂直フレームを有する２つの結着部材と、該結着開口を、該枢設部と接近する側の第一通過孔と、該飾り紐孔と接近する側の第二通過孔とに区画し、それぞれ摺動可能に該２つの結着部材の水平フレームに環着される押圧部材とを備える結着本体と、
中央部が前記結合部材と組立部材との間を通って該組立部材により固定されると共に、両端部がそれぞれ前記結着部材の飾り紐孔を通過するように結着される飾り紐と、
両端がそれぞれ前記結着部材の下方から第一通過孔から前記押圧部材の上方を通って上方から第二通過孔を通過して外側へ送り出される縛り紐とを有することを特徴とする緩み防止手段を有する快速結着具。
【請求項２】
前記結合部材は、プラスチックからなる細長状のプレート体であり、長手方向の両端部にそれぞれ下方且つ内側へ湾曲する枢設部が設けられ、また、中央部における長手方向の左右の対応する位置にそれぞれ貫通孔が形成されることを特徴とする請求項１に記載の緩み防止手段を有する快速結着具。
【請求項３】
前記組立部材の下部両端にそれぞれ、前記貫通孔に係合されるフックが突設され、該フックの底端に外側に向って反し部が設けられ、該フックは、前記結合部材の上面から貫通孔を貫通して該結合部材の底面に掛止されることを特徴とする請求項２に記載の緩み防止手段を有する快速結着具。
【請求項４】
該各押圧部材は、細長状のリングであり、上部中央がやや結着開口側へ凹むことを特徴とする請求項３に記載の緩み防止手段を有する快速結着具。
【請求項５】
前記飾り紐は、リング状のひもであり、中央部が前記組立部材に固定されると共に、両端部にそれぞれ結着部材の飾り紐孔を通る環状端部が設けられることを特徴とする請求項４に記載の緩み防止手段を有する快速結着具。
【考案の詳細な説明】
【技術分野】
【０００１】
本考案は、紐の結着に関し、特に瞬時に結着することができると共に、緩むことのない緩み防止手段を有する快速結着具に関するものである。
【背景技術】
【０００２】
紐の結着は、ものなどを固定する時に、ひもなどを結び合わせて縛り付ける行為であり、日常においては、例えば靴紐などにおいてよく行なわれており、その靴紐を結着により、靴が脱げるのを防ぐことができる。しかしながら、子供や障害者などにとって、ひもを結ぶ行為は複雑であり、結ぶことができたとしても、歩いているうちに振動で紐が緩むこともよくあった。また、ある障害者は、両手で紐を結ぶことが困難であるので、片手で簡単に結ぶことのできる結着具が必要であった。
【考案の概要】
【考案が解決しようとする課題】
【０００３】
上述したように、従来では、紐を直接結ぶものであるが、子供や障害者にとって、紐を結ぶことは複雑で手間がかかり、また、ある障害者は手が不自由なことから、使用上、非常に不便であった。
【課題を解決するための手段】
【０００４】
本考案に係る緩み防止手段を有する快速結着具は、両端部にそれぞれ枢設部が設けられる結合部材と、該結合部材の上部に取り付けられる組立部材と、それぞれ、Ｌ字形を呈すると共に、内端が該枢設部に枢設され、結着開口を有する水平フレーム及び該水平フレームの外端に設けられ、飾り紐孔を有する垂直フレームを有する２つの結着部材と、該結着開口を、該枢設部と接近する側の第一通過孔と、該飾り紐孔と接近する側の第二通過孔とに区画し、それぞれ摺動可能に該２つの結着部材の水平フレームに環着される押圧部材とを備える結着本体と、
中央部が前記結合部材と組立部材との間を通って該組立部材により固定されると共に、両端部がそれぞれ前記結着部材の飾り紐孔を通過するように結着される飾り紐と、
両端がそれぞれ前記結着部材の下方から第一通過孔から前記押圧部材の上方を通って上方から第二通過孔を通過して外側へ送り出される縛り紐とを有する。
【０００５】
前記結合部材は、プラスチックからなる細長状のプレート体であり、長手方向の両端部にそれぞれ下方且つ内側へ湾曲する枢設部が設けられ、また、中央部における長手方向の左右の対応する位置にそれぞれ貫通孔が形成される。
【０００６】
前記組立部材の下部両端にそれぞれ、前記貫通孔に係合されるフックが突設され、該フックの底端に外側に向って反し部が設けられ、該フックは、前記結合部材の上面から貫通孔を貫通して該結合部材の底面に掛止されることが好ましい。
【０００７】
該各押圧部材は、細長状のリングであり、上部中央がやや結着開口側へ凹むことが好ましい。
【０００８】
前記飾り紐は、リング状のひもであり、中央部が前記組立部材に固定されると共に、両端部にそれぞれ結着部材の飾り紐孔を通る環状端部が設けられることが好ましい。
【考案の効果】
【０００９】
本考案に係る緩み防止手段を有する快速結着具には、以下に示すような利点を有する。
【００１０】
１．本考案は、結着本体及び組立部材に結着する飾り紐と、被固定物を縛って結着部材に縛り付けられる縛り紐とを有するので、その縛り紐の両端を外側へ引っ張れば、被固定物を縛って固定することができる。一方、飾り紐の両端を上方へ引っ張れば、その結着状態を解消させて、つまり縛り紐を緩めて靴やバッグなどの被固定物を解放することができる。故に、この構造によれば、子供や障害者であっても、紐を結ぶことは簡単であり、片手で行うこともできるので、実用性に優れるものである。
【００１１】
２．その飾り紐を引っ張ることによって、結着部材を枢転させて角度を調整できるので、縛り紐の両端を外側へ引っ張ったり、内側へ緩めたり、長さを調整すれば、そのリング状の真ん中の部分が被固定物をきつく縛ったり緩めたりすることができる。
【００１２】
３．さらに、本考案における飾り紐及び縛り紐は、使用者の好みや流行に応じて、タイプの異なる或いは他の色のひもを使っても構わない。
【図面の簡単な説明】
【００１３】
【図１】本考案に係る緩み防止手段を有する快速結着具の第一実施例を示す正面図である。
【図２】本考案に係る緩み防止手段を有する快速結着具の第一実施例における結着本体の斜視図である。
【図３】本考案に係る緩み防止手段を有する快速結着具の第一実施例における結着本体の部分分解斜視図である。
【図４】本考案に係る緩み防止手段を有する快速結着具の第一実施例における縛り紐を引っ張って縛る状態を示す正面図である。
【図５】本考案に係る緩み防止手段を有する快速結着具の第一実施例における押圧部材が縛り紐を押圧する状態を示す正面図である。
【図６】本考案に係る緩み防止手段を有する快速結着具の第一実施例における飾り紐を引っ張って結着本体を解除する状態を示す正面図である。
【図７】本考案に係る緩み防止手段を有する快速結着具の第一実施例において、快速結着具を靴に使用して紐を結んだ状態を示す平面図である。
【図８】本考案に係る緩み防止手段を有する快速結着具の第一実施例において、靴に使用した快速結着具で紐を緩める状態を示す平面図である。
【図９】本考案に係る緩み防止手段を有する快速結着具の第二実施例の正面図である。
【図１０】本考案に係る緩み防止手段を有する快速結着具の第二実施例において、快速結着具を円筒形の箱に使用して紐を結んだ状態を示す斜視図である。
【図１１】本考案に係る緩み防止手段を有する快速結着具の第二実施例において、快速結着具を運動着のズボンのベルトに使用して紐を結んだ状態を示す使用状態図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１に示すように、本考案に係る緩み防止手段を有する快速結着具の第一実施例は、結着本体１０と、飾り紐２０と、縛り紐３０とを有する。
【００１６】
図２及び図３に示すように、前記結着本体１０は、結合部材１１と、逆Ｕ字形を呈する組立部材１２と、２つの結着部材１３と、細長状のリング体である２つの押圧部材１４とを備え、その内、該結合部材１１は、プラスチック射出成形技術により細長状のプレート体に形成され、長手方向の両端部にそれぞれ下方且つ内側へ湾曲する弧状の枢設部１１０が設けられ、上面中央部における長手方向の左右の対応する位置にそれぞれ結合部が凸設され、該各結合部に貫通孔１１２が形成される。また、前記組立部材１２は、前記結合部材１１の結合部に係合され、下部両端底面にそれぞれ該貫通孔１１２に係合されるフック１２２が突設され、該フック１２２の底端に外側に向って返し部が設けられ、該フック１２２は、前記結合部材１１の上面から貫通孔１１２を貫通して該結合部材１１の底面に掛止されることによって、その組立部材１２をしっかりと該結合部材１１に固定する。
【００１７】
前記２つの結着部材１３はそれぞれ、前記結合部材１１の枢設部１１０に枢設され、該各結着部材１３は、側面から見てＬ字形を呈し、該結合部材１１の長手方向に沿って内端軸及び外端軸を備える中空の矩形の水平フレームと、該結合部材１１の長手方向と垂直するように、該外端軸の上面に設けられるＤ字形の垂直フレームとを有すると共に、該水平フレームの内端軸は、該結合部材１１の枢設部１１０に枢設される。また、前記水平フレームに結着開口１３１及び飾り紐孔１３２が形成されると共に、前記２つの押圧部材１４はそれぞれ、摺動可能に前記水平フレームの周囲に設置され、上部中央がやや結着開口１３１側へ凹むように形成される。さらに、前記押圧部材１４は、前記水平フレームの結着開口１３１の中央に位置することから、その結着開口１３１が、前記枢設部１１０と接近する側の第一通過孔１３１１と、前記飾り紐孔１３２と接近する側の第二通過孔１３１２とに区画される。
【００１８】
図１及び図２に示すように、前記飾り紐２０は、リング状のひもであり、中央部が前記結合部材１１と組立部材１２との間を通って該組立部材１２により固定されると共に、両端部にそれぞれ結着部材１３の飾り紐孔１３２を通過する環状端部が設けられる。
【００１９】
図１乃至図３に示すように、前記縛り紐３０は、両端を有する線状のひもである。また、本実施例における縛り紐３０を靴ひもとして使用する時は、先ず、該縛り紐３０の真ん中の部分をアイレットに通して結び、縛り紐３０の両端をそれぞれ結着部材１３の下方から第一通過孔１３１１を通して押圧部材１４の上方を介して上方から第二通過孔１３１２を通過させて外側へ送り出すように結着本体１０に装着する。この構成によれば、縛り紐３０の両端がそれぞれ結着本体１０の結着部材１３に結着されることから、縛り紐３０の真ん中の部分に大きさを調整可能な輪を作り、縛り紐３０の両端を外側へ引っ張れば、縛り紐３０の真ん中の部分の長さを短く調整して靴をきつく縛ることができる。
【００２０】
図４に示すように、本考案に係る緩み防止手段を有する快速結着具においては、被固定物を縛って固定する時、先ず縛り紐３０の真ん中の部分に被固定物を縛って、その両端をそれぞれ順に第一通過孔１３１１及び第二通過孔１３１２に通して結着部材１３に巻き付け、縛り紐３０の両端を水平方向に外側或いは上方へ引っ張れば、被固定物をきつく縛って固定することができる。
【００２１】
図５に示すように、縛り紐３０が一旦結着本体１０に装着されると、その結着状態を簡単に解除することはできない。つまり、縛り紐３０の真ん中の部分を下方へ引っ張ると、結着部材１３が内端軸を軸に枢設部１１０に対して下方へ枢転すると共に、押圧部材１４が結着部材１３に対して外側へ摺動して第二通過孔１３１２の幅を縮小させることから、該押圧部材１４が第二通過孔１３１２を通過している縛り紐３０を結着部材１３に対してしっかりと押圧するので、縛り紐３０の緩みを防止することができる。尚、この時、結着本体１０或いは縛り紐３０を引っ張っても縛り紐３０を緩めることはできない。
【００２２】
図６に示すように、縛り紐３０の結着状態を解除する時は、先ず飾り紐２０の両端を被固定物と反対する側へ引っ張り、結着部材１３を、内端軸を軸に枢設部１１０に対して上方へ枢転させる、或いは結着部材１３を水平状態に維持することにより、押圧部材１４を結着部材１３に対して内側へ摺動させて第二通過孔１３１２の幅を拡大させる。これによって、第二通過孔１３１２を通過している縛り紐３０が緩むことから、該縛り紐３０を自由に移動させて真ん中の部分の長さを調整することができるので、使用上の利便性が高い。
【００２３】
図７及び図８に示すように、本考案に係る緩み防止手段を有する快速結着具を靴に用いる時は、縛り紐３０の真ん中の部分をアイレットに通して結び、縛り紐３０の両端をそれぞれ結着本体１０の結着部材１３に装着する。この時、靴を結着本体１０により縛り紐３０に縛って固定する結着状態となることから、縛り紐３０の両端を引っ張ってもその結着状態を解消しなく、縛り紐３０の緩みを防止することができる。一方、飾り紐２０の両端を、靴に装着されている縛り紐３０の真ん中の部分と反対する方向へ引っ張ると、縛り紐３０を自由に移動させることができることから、縛り紐３０の真ん中の部分を適当な長さに調整でき、即ち、きつく縛ったり或いは緩めたりすることができる。故に、この構成によれば、子供や障害者などでも、靴ひもを簡単に結ぶことができると共に、片手でも難なく結着作業を行うことができる。
【００２４】
図９に示すように、本考案に係る第二実施例は、飾り紐２０Ａの構成が異なるものであり、即ち、リング状の飾り紐２０Ａの両端はそれぞれ、結着部材１３の飾り紐孔１３２を通過して組立部材１２と結合部材１１との間に固定され、使用する時は、縛り紐３０の真ん中の部分を被固定物に結んで、縛り紐３０の両端をそれぞれ結着本体１０の結着部材１３に装着し、縛り紐３０の両端を引っ張れば、被固定物をきつく縛って固定することができる。一方、被固定物を縛る縛り紐３０を緩める時は、飾り紐２０Ａを軽く上方へ引っ張れば、結着部材１３が内端軸を軸にして枢設部１１０に対して上方へ枢転するので、縛り紐３０を自由に緩めることができる。
【００２５】
図１０に示すように、本考案に係る第二実施例により箱などを縛って固定する時は、先ず縛り紐３０の真ん中の部分に円筒形の箱Ａを十字に縛ると共に、縛り紐３０を両端からそれぞれ結着本体１０の結着部材１３に通し、縛り紐３０の両端を外側へ引っ張れば、円筒形の箱Ａをしっかりと縛って固定することができる。一方、飾り紐２０を円筒形の箱Ａと反対する側へ引っ張れば、結着本体１０を解除して縛り紐３０を自由に緩めることができる。
【００２６】
図１１に示すように、本考案に係る第二実施例を運動着に使用する時は、その結着本体１０を運動者Ｂのズボンのベルトに装着し、該ズボンのベルトを縛り紐３０として両端をそれぞれ結着本体１０に設置して外側へ引っ張れば、該ズボンのベルトを縛ることができる。一方、ズボンのベルトを緩める時は、単に飾り紐２０を上方へ引っ張れば、結着本体１０からベルトを自由な状態にして固定状態を解除することができる。
【００２７】
さらに、本考案に係る緩み防止手段を有する快速結着具における飾り紐２０及び縛り紐３０については、使用者の好みに応じた色のひもであっても構わない。
【産業上の利用可能性】
【００２８】
本考案は上記の構成を有するので、縛り紐の両端を外側へ引っ張れば、被固定物を縛って固定することができ、一方、飾り紐の両端を上方へ引っ張れば、縛り紐を緩めて固定状態を解消することができることから、子供や障害者であっても、結着作業を簡単に行なうことができる。また、その飾り紐の引っ張ることによって、結着部材を枢転させて角度を調整すれば、その縛り紐の真ん中の部分の長さを調整できるので、被固定物をきつく縛ったり緩めたり、自由に調整することができる。さらに、本考案における飾り紐及び縛り紐は、使用者の好みに応じた色のひもを使っても構わない。
【符号の説明】
【００２９】
１０…結着本体、
１１…結合部材、
１１０…枢設部、
１１２…貫通孔、
１２…組立部材、
１２２…フック、
１３…結着部材、
１３１…結着開口、
１３１１…第一通過孔、
１３１２…第二通過孔、
１３２…飾り紐孔、
１４…押圧部材、
２０、２０Ａ…飾り紐、
３０…縛り紐、
Ａ…円筒形の箱、
Ｂ…運動者。
【図１】
0003174077.tif 000003
【図２】
0003174077.tif 000004
【図３】
0003174077.tif 000005
【図４】
0003174077.tif 000006
【図５】
0003174077.tif 000007
【図６】
0003174077.tif 000008
【図７】
0003174077.tif 000009
【図８】
0003174077.tif 000010
【図９】
0003174077.tif 000011
【図１０】
0003174077.tif 000012
【図１１】
0003174077.tif 000013